(57)【特許請求の範囲】
【請求項１】
異社間の携帯電話の通信システムにおいて、
発信者側の携帯電話会社のネットワークと、着信者側の携帯電話会社のネットワークとの間に、
発信者側携帯電話からの通話を受信する通信部と、
発信者側及び着信者側携帯電話の電話番号を基に発信者側及び着信者側携帯電話の各電話会社を判別する回線制御部と、
発信者側携帯電話からの通話と着信者側携帯電話からの通話とを相互に変換するための変換部と、
変換された通話を着信者側携帯電話に発信するための無線通信部と
発信者の基本情報及びＩＤ番号が登録されている携帯電話情報データベース部と、
から構成される中継局が設けられ、
中継局には、
変換部及び無線通信部が複数設けられており、
通信部が発信者側携帯電話からの通話を複数件受信した場合、
回線制御部が複数の変換部から未使用状態の変換部を検索して当該未使用状態の変換部へと接続する変換処理の振り分け指令を行う
ことを特徴とする異社間の携帯電話通信システム。
【発明の詳細な説明】
【技術分野】
【０００１】
本発明は、異なる携帯電話会社の携帯電話機間の通話を行うための携帯電話通信システムに関し、特に、発信者側の携帯電話通信を、着信者側の携帯電話通信に合わせることができる携帯電話通信システムに関する。
【背景技術】
【０００２】
従来より、携帯電話間の通話においては、各携帯電話会社により、その機能やサービスが異なるため、十分に携帯電話の機能やサービスを実現できないという問題があった。
【０００３】
文字、画像、映像、音楽などをやり取りする場合などでは、他社の携帯電話機ではその機能がなかったり、機能はあるがそのサービスに対応していなかったりなど、同じ携帯電話会社の携帯電話同士でないと、十分な機能、サービスをうけることができないことも少なくない。
【０００４】
特開平１４−０４４２４９号では、携帯電話間の機能の違いを通信データ変換サーバで各携帯電話機間の形式変換を実現し、異なる携帯電話機間でもスムーズにコミュニケーションができるようにした携帯端末間形式変換システムを開示している。
【０００５】
特開２００３−１６３６９５号では、異社の携帯電話機間での異なる文字メッセージサービスを、ネットワークを介して文字メッセージサービスセンターにより、相手先の携帯電話機に対応した文字メッセージサービスに変換して送信することを可能とする異社間文字メッセージサービスシステムを開示している。
【０００６】
これらにより、異なる携帯電話会社の携帯電話機間においてもそれらの機能を違いを克服し、快適なコミュニケーションを実現できるものである。
【特許文献１】特開平１４−０４４２４９号公報
【特許文献２】特開２００３−１６３６９５号公報
【発明の開示】
【発明が解決しようとする課題】
【０００７】
しかしながら、携帯電話機の機能に関しては、インターネットを用いてデータ変換サーバを介して変換することは可能となったが、各種のサービスにおいては、同じ携帯電話会社の携帯電話同士でなければ、希望のサービスが受けられないものも少なくない。
【０００８】
例えば、同じ携帯電話会社の携帯電話機同士では、通話料金が安くなるもの、転送料金が安くなるもの、メール料金が安くなるもの、同じ携帯サイトで情報が共有できるもの、音楽などダウンロード形式を共有できるもの、待ち受け画像を共有できるもの、アプリケーションを共有できるものなど、多くのサービスを受けられることになる。
【０００９】
しかし、異なる携帯電話会社の携帯電話機同士では、このようなサービスは、まったく適応されない。
【００１０】
本発明の課題は、異社間の携帯電話の通話においても、お互いに同じ携帯電話会社の携帯電話同士で通話しているのと同等の環境を構築し、上記のようなさまざまなサービスを享受できる携帯電話通信システムを提供することである。
【課題を解決するための手段】
【００１１】
本発明は上記の問題を解決するために、異社携帯電話の通話環境の間に、中継局を配置し、該中継局に両方の携帯電話会社の携帯電話に適応し、相互に通話を変換できる環境を構築するものである。
【００１２】
本発明の請求項１は、異社間の携帯電話の通信システムにおいて、発信者側の携帯電話会社のネットワークと、着信者側の携帯電話会社のネットワークとの間に、中継局が設けられ、該中継局には、発信者側携帯電話からの通話を受信する通信部と、各携帯電話会社の通話を相互に変換するための変換部と、変換された通話を着信者側携帯電話に発信するための無線通信部とが設けられ、発信者側の携帯電話通信と、着信者側の携帯電話通信とが、該中継局において、相互に変換されて通話が行われることを特徴とする異社間の携帯電話通信システムである。
【００１３】
該変換部は、異社間の携帯電話の通話を相互に変換する処理部である。
【００１４】
これにより、異社間の携帯電話の機能が共有され、各種のサービスが共有可能となる。
【００１５】
また、本発明の請求項１は、前記の中継局において、前記の変換部が複数設けられ、発信者側携帯電話からの通話を通信部が受信した場合に、該複数の変換部の中から未使用状態の変換部を検索して接続し、変換処理の振り分けを行う回線制御部を有することを特徴とする異社間の携帯電話通信システムである。
【００１６】
該回線制御部は、発信者側の携帯電話と着信者側の携帯電話の会社を判別し、変換部に対して変換処理を制御するものである。
【発明の効果】
【００１７】
本発明は、以下のような効果を奏する。
【００１８】
１）異社間の携帯電話の通話において、互いに同じ電話会社の携帯電話と通話している場合と同様に各種の機能を使用した通話ができる。
【００１９】
２）異社間の携帯電話の通話においても、同じ携帯電話会社の携帯電話同士で通話する場合と同様なサービスを享受できる。
【００２０】
３）複数の変換部を設けることにより、多種、多様の異社間の携帯電話の通話に対応できる。
【００２１】
４）回線制御部を設け、変換処理の振り分けを行うことにより、多数の通話の変換を実現できる。
【発明を実施するための最良の形態】
【００２２】
本発明の実施の形態について、図面を用いて説明する。
【００２３】
図１は本発明による携帯電話通信システムの実施例を示す図であり、発信者の携帯電話ネットワークから中継局を経由して着信者の携帯電話会社のネットワークへと接続される場合を示す。
【００２４】
本実施例の携帯電話通信システムは、発信者側携帯電話（Ａ社の携帯電話機Ａ１、Ｂ社の携帯電話Ｂ１、Ｃ社の携帯電話Ｃ１）と、発信者側携帯電話からの通話を送受信する発信者側基地局（Ａ社の基地局Ａ２、Ｂ社の基地局Ｂ２、Ｃ社の基地局Ｃ２）と、発信者側携帯電話会社の本局（Ａ社の本局Ａ３、Ｂ社の本局Ｂ３、Ｃ社の本局Ｃ３）と、発信者側携帯電話に対応する中継局側基地局（Ａ社の基地局Ａ４、Ｂ社の基地局Ｂ４、Ｃ社の基地局Ｃ４）と、発信者側携帯電話に対応する中継局側基地局からの通話を送受信し、相互に通話を変換して、着信者側携帯電話に対応する中継局側基地局に対して通話を送受信するための中継局２と、該中継局２からの通話を送受信する着信者側携帯電話に対応する中継局側基地局（Ｄ社の基地局Ｄ４、Ｅ社の基地局Ｅ４、Ｆ社の基地局Ｆ４）と、着信者側携帯電話会社の本局（Ｄ社の本局Ｄ３、Ｅ社の本局Ｅ３、Ｆ社の本局Ｆ３）と、着信者側携帯電話に通話を送受信する着信者側基地局（Ｄ社の基地局Ｄ２、Ｅ社の基地局Ｅ２、Ｆ社の基地局Ｆ２）と、着信者側携帯電話（Ｄ社の携帯電話Ｄ１、Ｅ社の携帯電話Ｅ１、Ｆ社の携帯電話Ｆ１）とから構成される。
【００２５】
上記の中継局２は、図２の基本構成図に示すように、発信者側携帯電話に対応する中継局側基地局（Ａ４、Ｂ４、Ｃ４）からの通話が送受信され、発信者側携帯電話からの通話を送受信する通信部１０と、発信者側携帯電話からの通話と着信者側携帯電話からの通話とを相互に変換する変換部１１と、変換された通話を基地局を通して着信者側携帯電話に送受信するための無線通信部１２が設けられている。
【００２６】
それらの通話は制御部１３により制御され、相互に通話を変換し、送受信される。
【００２７】
実際には、複数の会社の携帯電話からの通話を同時に処理する必要があるため、上記の変換部は複数設置されている必要がある。
【００２８】
図３は、複数の変換部を有する中継局の実施例を示す概略構成図であり、発信者の携帯電話から中継局２までの間を発信者側の携帯電話会社のネットワークで接続された場合を示す。
【００２９】
発信者側基地局からの通話は、通信部１０が受信し、回線制御部１３により、複数の変換部（１１Ａ〜１１Ｆ）の中から未接続の変換部に振り分けられる。
【００３０】
変換部（１１Ａ〜１１Ｆ）では、着信者側携帯電話会社に対応した通話に変換され、着信者側携帯電話会社に対応した無線通信部（１２Ａ〜１２Ｆ）より、着信者側携帯電話に対応する中継局側基地局に通話が発信される。
【００３１】
次に本発明の利用手順について、説明する。
【００３２】
本発明の異社間の携帯電話通信システムを利用するためには、以下の手順で登録してから使用することが可能となる。
【００３３】
Ｓ−１）利用者登録
本異社間の携帯電話通信システムによる通話を希望する利用希望者は、最初に所定の登録手続により、登録者の氏名、住所などの基本情報と、携帯電話の会社名及び機種名、携帯電話番号を登録する。
【００３４】
Ｓ−２）ＩＤ発行
登録に従って、ＩＤ番号（この場合には電話番号でも可）が登録者に発行され、これらの登録情報は、携帯電話情報データベース１４に記録される。
【００３５】
Ｓ−３）発信
登録されている発信者側携帯電話から中継局２の電話番号、（ＩＤ番号）、通話相手である着信者側携帯電話を続けて発信する。
【００３６】
Ｓ−４）発信者側基地局
発信者側携帯電話からの通話を発信者側携帯電話に近い発信者側基地局が送受信し、専用回線により携帯電話会社の本局に通話を送受信する。
【００３７】
Ｓ−５）携帯電話会社本局
携帯電話会社の本局では、発信者側基地局からの通話を専用回線で送受信し、中継局２に近い中継局側基地局に専用回線で送受信する。
【００３８】
Ｓ−６）中継局側基地局
中継局２に近い中継局側基地局では、発信者側携帯電話からの通話を無線通信により、中継局２の通信部に送受信する。
【００３９】
Ｓ−７）通信部
中継局２の通信部１０が発信者側携帯電話からの通話を送受信する。
【００４０】
Ｓ−８）ＩＤ認識
中継局２の回線制御部１３は、発信者のＩＤを電話番号より認識する。
【００４１】
Ｓ−９）通話相手である着信者側携帯電話番号確認
中継局２の回線制御部１３は、通話相手である着信者側携帯電話の電話番号を確認する。
【００４２】
Ｓ−１０）変換部及び無線通信部
中継局２の回線制御部１３は、通話相手である着信者側の携帯電話会社を判別して、発信者側携帯電話から通話を変換し、着信者側携帯電話に対応した無線通信部１２Ａより、中継局２に近い中継局側基地局に発信される。
【００４３】
Ｓ−１１）中継局側基地局
着信者に対応した中継局側基地局は、中継局２からの通話を着信者側携帯電話会社の本局に専用回線で送受信する。
【００４４】
Ｓ−１２）携帯電話会社本局
着信者側携帯電話会社の本局では、発信者側携帯電話からの通話を着信者側携帯電話に近い着信者側基地局に専用回線で送受信する。
【００４５】
Ｓ−１３）着信者側基地局
着信者側基地局では、発信者側携帯電話からの通話を通信相手先である着信者側携帯電話に無線通信する。
【００４６】
Ｓ−１４）通話相手である着信者側携帯電話
通話相手である着信者側携帯電話は、着信者側基地局からの通話を受信し、発信者側携帯電話と通話開始となる。
【００４７】
次に、中継局での回線切り替え動作、及び通話変換動作について図４を用いて説明する。
【００４８】
Ｔ−１）発信
登録されている発信者側携帯電話から中継局２の電話番号、（ＩＤ番号）、通信相手である着信者側携帯電話番号を続けて発信する。
【００４９】
Ｔ−２）中継局受信
中継局２の通信部１０が発信者側携帯電話からの通話を受信する。
【００５０】
Ｔ−３）ＩＤ確認
通信部１０は、発信者側携帯電話が登録されている携帯電話からの通話であるかを携帯電話情報データベース１４を照合し、ＩＤ番号で確認する。
【００５１】
Ｔ−４）回線の切り換え
ＩＤが確認されると、回線制御部１３は、回線を未使用の変換部を検索して変換処理の振り分けを行う。
【００５２】
さらに別の発信者側携帯電話からの通話を受信すると、回線制御部１３は、同様にして、未使用の発信者対応携帯端末（１１Ａ〜１１Ｆ）を検索して自動的に振り分ける。
【００５３】
このように、未使用の変換部を検索して自動的に変換処理の振り分けを行う。
【００５４】
Ｔ−５）登録情報抽出
回線制御部１３は、通信相手先の着信者側携帯電話の電話番号から着信者側携帯電話の会社を判別し、ＩＤ番号より登録の携帯電話を判別し、携帯電話情報データベース１４より、変換に必要な情報を抽出し、変換部に送信する。
【００５５】
Ｔ−６）通話変換
変換部１１Ａは、変換に必要な情報を回線制御部１３より受け取り、発信者側携帯電話の通話を着信者側携帯電話の通話に変換する。
【００５６】
Ｔ−７）変換された通話の発信
変換された通話は、着信者側携帯電話に対応した無線通信部１２Ａより、着信者側携帯電話に発信される。
【００５７】
Ｔ−８）通話開始
着信者側携帯電話は、通話を着信し、通話が開始される。
【００５８】
このように、異社間の携帯電話において、変換部を有する中継局を介して通話することで、相手の携帯電話会社を意識することなく、気軽に通話することが可能となる。
【００５９】
同じ携帯電話会社の携帯電話機同士の通話と同じ環境となるので、同じ会社の携帯電話機同士の通話のときにのみ適応されるサービスを使用できる。
【００６０】
また、本実施例では、変換部（１１Ａ〜１１Ｆ）は、回線制御部１３からの情報により、どの会社でも変換できる機能を有するものとして示したが、各会社専用の変換部としても良い。
【００６１】
また、無線通信部（１２Ａ〜１２Ｆ）は、各社専用の無線通信部として複数設けても良く、汎用的に回線制御部からの情報で各社に対応した送受信を行うプログラムを有するものでも良い。
【図面の簡単な説明】
【００６２】
【図１】本発明による異社間携帯電話通信システムの実施例を示す概略構成図である。
【図２】本発明による異社間携帯電話通信システムの中継局の基本構成図である。
【図３】本発明による異社間携帯電話通信システムの中継局の実施例を示す概略構成図である。
【図４】本発明による異社間携帯電話通信システムの動作手順を示すフロー図である。
【符号の説明】
【００６３】
２  中継局
Ａ１、Ｂ１、Ｃ１  発信者側携帯電話機
Ａ２、Ｂ２、Ｃ２  発信者側基地局
Ａ３、Ｂ３、Ｃ３  発信者側携帯会社本局
Ａ４、Ｂ４、Ｃ４  発信者に対応した中継局側基地局
Ｄ１、Ｅ１、Ｆ１  着信者側携帯電話機
Ｄ２、Ｅ２、Ｆ２  着信者側基地局
Ｄ３、Ｅ３、Ｆ３  着信者側携帯会社本局
Ｄ４、Ｅ４、Ｆ４  着信者に対応した中継局側基地局
１０  通信部
１１、１１Ａ〜１１Ｆ  変換部
１２、１２Ａ〜１２Ｆ  無線通信部
１３  回線制御部
１４  携帯電話情報データベース
【図１】
0004840799.tif 000002
【図２】
0004840799.tif 000003
【図３】
0004840799.tif 000004
【図４】
0004840799.tif 000005